(57)【要約】【課題】  コストを抑えながらもユーザの使い勝手を向上させることが可能なデジタル複合機を提供する。【解決手段】  ステップＳ１で画像複写機能のメモリ量の設定に変更があった場合、その入力値（ｍ１）が８０％を超えているか否かを判断する（Ｓ２）。ステップＳ２で入力値が８０％を超えている場合、設定値Ｍ１を８０％にして（Ｓ３）、１００％から設定値Ｍ１を引いた値を設定値Ｍ２とする（Ｓ４）即ち画像複写装置の設定値が決まると残りが画像記録装置分となる。ステップＳ２で入力値が８０％を下回っている場合、入力値（ｍ１）が２０％以下であるか否かを判断する（Ｓ６）。入力値が２０％以下の場合、設定値Ｍ１を２０％としてステップＳ４に進む。その他の場合は、入力された値（ｍ１）を設定値Ｍ１としてステップＳ４に進（Ｓ８）。【選択図】  図１０
2005079679.tif 000002
【特許請求の範囲】
【請求項１】
原稿画像を読み取って該原稿画像を光電変換する画像読取手段と、外部装置から送信されたプリンタ言語を書込みイメージに展開して転写紙に記録する画像記録手段と、前記画像読取手段により読み取られた原稿画像を書込みイメージに展開して転写紙に記録する画像複写手段と、前記外部装置との画像データの授受を行う画像通信手段とを備えたデジタル複合機であって、
前記各手段が扱う画像データを記憶するための画像メモリの専用領域をそれぞれ備え、前記画像記録手段及び画像複写手段が使用する画像メモリの専用領域を可変にしたことを特徴とするデジタル複合機。
【請求項２】
原稿画像を読み取って該原稿画像を光電変換する画像読取手段と、外部装置から送信されたプリンタ言語を書込みイメージに展開して転写紙に記録する画像記録手段と、前記画像読取手段により読み取られた原稿画像を書込みイメージに展開して転写紙に記録する画像複写手段と、前記外部装置との画像データの授受を行う画像通信手段とを備えたデジタル複合機であって、
前記各手段が扱う画像データを記憶するための画像メモリの専用領域と前記各手段が共有して使用することが可能な共有領域とを備えたことを特徴とするデジタル複合機。
【請求項３】
前記画像記録手段及び画像複写手段が使用する画像メモリの専用領域及び前記共有領域を可変にしたことを特徴とする請求項２に記載のデジタル複合機。
【請求項４】
前記画像記録手段及び画像複写手段の画像メモリの専用領域は、該専用領域を合計したメモリ容量が常に一定になるように可変されることを特徴とする請求項１又は２に記載のデジタル複合機。
【請求項５】
前記共有領域は、該共有領域を合計したメモリ容量が常に一定になるように可変されることを特徴とする請求項２に記載のデジタル複合機。
【請求項６】
前記共有領域は、前回の専用領域の設定値と今回の専用領域の設定値との差分を求めておき、該差分と前記共有領域を合計したメモリ容量が常に一定になるように可変されることを特徴とする請求項２又は３に記載のデジタル複合機。
【請求項７】
前記専用領域は、前回の共有領域の設定値と今回の共有領域の設定値との差分を求めておき、該差分を前記画像記録手段及び画像複写手段の画像メモリのそれぞれの専用領域に均等に割り振るように可変されることを特徴とする請求項２に記載のデジタル複合機。
【請求項８】
前記画像記録手段及び画像複写手段の画像メモリの専用領域及び共有領域は、ユーザが操作手段から任意に変更可能としたことを特徴とする請求項１乃至６の何れか一項に記載のデジタル複合機。
【発明の詳細な説明】
【技術分野】
【０００１】
本発明は、デジタル複合機に関し、さらに詳しくは、デジタル複合機で使用するメモリの効率的な使用方法に関するものである。
【背景技術】
【０００２】
一般的なデジタル複合機では画像記録機能（プリンタ機能）と画像複写機能（コピー機能）の画像メモリをすべて有することで並行動作を可能にしている。例えば、画像複写機能により原稿画像の印刷中に画像記録機能を使って外部装置の画像データを画像メモリに蓄積することができる。しかしながら、低コスト層の機械ではこれら並行動作を制限しても画像メモリの容量を減らしてコストを低減することが望まれる。
図１２は、画像記録機能（プリンタ機能）の画像メモリの使い方を示している。
まず、外部装置１５０から画像データがプリンタ言語により画像メモリＡ１５１に送信される。その画像データを画像書き込みイメージに展開し画像メモリＣ１５３に送信する。画像メモリＣ１５３の画像データは画像形成装置１５４に送信し転写紙に書き込みを行う。また、外部装置１５０からのデータをページ順に複数部印刷する場合は、画像メモリＡ１５１からの画像をデータ圧縮して画像メモリＢ１５２に転送する。画像メモリＢ１５２の画像データは再度印刷順に解凍して画像メモリＣ１５３に送り、さらに画像形成装置１５４に送信して転写紙への書き込みを行う。
また画像メモリＡ１５１は、１ページ分必要は無く、１ページを複数に分割して転送することができる。画像メモリＢ１５２は１部のページ分記憶しておくメモリ量が必要である。一般的に低コスト層以外の機械ではこの画像メモリＢ１５２用の記憶装置としてハードディスクなどの大容量記憶装置を使用するが、低コスト層のデジタル複合機では画像メモリＡ１５１、Ｃ１５３と同じＲＡＭが等が使用される。そのため、画像メモリＡ１５１、Ｂ１５２、Ｃ１５３を同一ＲＡＭ中にどのように割り付けるかによりページ順印刷の性能などが決まってくる。
【０００３】
図１３は、画像複写機能（コピー機能）の画像メモリの使い方を示している。
まず、画像読み取り装置１６０で読み取られた原稿画像データが画像メモリＤ１６１に送信される。画像メモリＤ１６１の画像データは画像形成装置１６４に送信し転写紙に書き込みを行う。また、原稿画像データからのデータをページ順に複数部印刷する場合は、画像メモリＤ１６１からの画像をデータ圧縮して画像メモリＥ１６２に転送する。画像メモリＥ１６２の画像データは再度印刷順に解凍して画像メモリＦ１６３に送り、さらに画像形成装置１６４に送信して転写紙への書き込みを行う。
また画像メモリＤ１６１、Ｆ１６３は、１ページ分の画像メモリが必要である。画像メモリＥ１６２は１部のページ分記憶しておくメモリ量が必要である。一般的に低コスト層以外の機械ではこの画像メモリＥ１６２用の記憶装置としてハードディスクなどの大容量記憶装置を使用するが、低コスト層のデジタル複合機では画像メモリＤ１６１、Ｆ１６３と同じＲＡＭ等が使用される。そのため、画像メモリＤ１６１、Ｅ１６２、Ｆ１６３を同一ＲＡＭ中にどのように割り付けるかによりページ順印刷の性能などが決まってくる。
また従来技術として、特開２００１−１３６３２４公報には、並行動作でファイリングを行う技術が開示されており、特開２００１−１６９０２２公報には、データ圧縮の可否について開示されており、特開２００１−０８６８１５公報には、画像圧縮で効率を上げる技術について開示されている。
【特許文献１】特開２００１−１３６３２４公報
【特許文献２】特開２００１−１６９０２２公報
【特許文献３】特開２００１−０８６８１５公報
【発明の開示】
【発明が解決しようとする課題】
【０００４】
しかしながら、原稿画像の印刷中に画像記録機能を使って外部装置の画像データを画像メモリに蓄積する並行動作を行うためには、大容量のメモリが必要となり装置のコストが高くなるといった問題があり、低コスト層の機械ではこれら並行動作を制限しても画像メモリの容量を減らしてコストを低減することが望まれている。
また特許文献１〜３に開示されている従来技術は、機能ごとのメモリの使い方に関する内容については言及されていない。
本発明は、かかる課題に鑑み、コストを抑えながらもユーザの使い勝手を向上させることが可能なデジタル複合機を提供することを目的とする。
【課題を解決するための手段】
【０００５】
本発明はかかる課題を解決するために、請求項１は、原稿画像を読み取って該原稿画像を光電変換する画像読取手段と、外部装置から送信されたプリンタ言語を書込みイメージに展開して転写紙に記録する画像記録手段と、前記画像読取手段により読み取られた原稿画像を書込みイメージに展開して転写紙に記録する画像複写手段と、前記外部装置との画像データの授受を行う画像通信手段とを備えたデジタル複合機であって、前記各手段が扱う画像データを記憶するための画像メモリの専用領域をそれぞれ備え、前記画像記録手段及び画像複写手段が使用する画像メモリの専用領域を可変にしたことを特徴とする。
一般にデジタル複合機は、画像読取手段としてのスキャナ、画像記録手段としてのプロッタ、画像複写手段としてのコピア、および画像通信手段としてのファクシミリを備えている。そしてこれらには専用のメモリが割り当てられている。しかし、従来はこれらのメモリ領域は予め決められており、固定的なものであった。そのため、メモリ領域の使用効率が必ずしも良くなかった。そこで本発明では、画像記録手段と画像複写手段のメモリの専用領域を可変として、メモリ全体の使用効率を高めたものである。
かかる発明によれば、画像記録手段と画像複写手段のメモリの専用領域を可変として使用可能としたので、ユーザの利便性を高めると共に、メモリ全体の使用効率を高めることができる。
請求項２は、原稿画像を読み取って該原稿画像を光電変換する画像読取手段と、外部装置から送信されたプリンタ言語を書込みイメージに展開して転写紙に記録する画像記録手段と、前記画像読取手段により読み取られた原稿画像を書込みイメージに展開して転写紙に記録する画像複写手段と、前記外部装置との画像データの授受を行う画像通信手段とを備えたデジタル複合機であって、前記各手段が扱う画像データを記憶するための画像メモリの専用領域と前記各手段が共有して使用することが可能な共有領域とを備えたことを特徴とする。
請求項１は専用の領域のみがあり、それぞれが共有に使用できる領域がなかった。即ち、コピーとプリンタ機能の専用領域だけの場合、その専用領域間でメモリの融通を行ってメモリ全体として使用効率を上げることができるが、他の専用領域は固定的であるため、使用効率も限定的なものとなってしまう。そこで本発明では、専用領域以外に共有して使用できる共有領域を備えたものである。
かかる発明によれば、画像データを記憶するための画像メモリの専用領域と前記各手段が共有して使用することが可能な共有領域とを備えたので、それぞれの機能を独立に動作させるときには多くのメモリを使用でき、且つ後から実行した機能も少ないページであれば並行動作を行うことができる。
【０００６】
請求項３は、前記画像記録手段及び画像複写手段が使用する画像メモリの専用領域及び前記共有領域を可変にしたことを特徴とする。
専用領域と共有領域が存在してもその領域が固定的であれば、メモリの使用効率を高めることに限界が生じる。そこで本発明では、専用領域と共有領域を可変とするものである。
かかる発明によれば、メモリの専用領域及び共有領域を可変にしたので、ユーザの利便性を高めると共に、メモリ全体の使用効率を更に高めることができる。
請求項４は、前記画像記録手段及び画像複写手段の画像メモリの専用領域は、該専用領域を合計したメモリ容量が常に一定になるように可変されることを特徴とする。
画像記録手段及び画像複写手段の画像メモリの専用領域の合計を１００％とした場合、例えば、画像記録手段の専用領域を６０％にすると、残りの４０％が画像複写手段の専用領域となる。このように、両者の合計が常に１００％となるように可変される。
かかる発明によれば、画像記録手段及び画像複写手段の画像メモリの専用領域の合計が一定になるように可変されるので、メモリ全体のバランスを常に保つことができる。
【０００７】
請求項５は、前記共有領域は、該共有領域を合計したメモリ容量が常に一定になるように可変されることを特徴とする。
画像メモリの共有領域の合計を１００％とした場合、例えば、画像記録手段の専用領域を６０％にすると、残りの４０％が画像複写手段の専用領域となる。このように、両者の合計が常に１００％となるように可変される。
かかる発明によれば、画像記録手段及び画像複写手段の画像メモリの専用領域の合計が一定になるように可変されるので、メモリ全体のバランスを常に保つことができる。
請求項６は、前記共有領域は、前回の専用領域の設定値と今回の専用領域の設定値との差分を求めておき、該差分と前記共有領域を合計したメモリ容量が常に一定になるように可変されることを特徴とする。
共有領域の可変方法は、前回の専用領域の設定値と今回の専用領域の設定値との差分を求めておき、その差分と共有領域の合計が１００％となるように可変される。従って、差分がなければ共有領域は変化がなく、専用領域が大きく変更されるとその分共有領域の変化量も大きくなる。
かかる発明によれば、前回の専用領域の設定値と今回の専用領域の設定値との差分を求めておき、この差分と共有領域を合計したメモリ容量が常に一定になるように共有領域が可変されるので、差分量に応じて変化するように制御されるので、可変量の算出が容易となる。
【０００８】
請求項７は、前記専用領域は、前回の共有領域の設定値と今回の共有領域の設定値との差分を求めておき、該差分を前記画像記録手段及び画像複写手段の画像メモリのそれぞれの専用領域に均等に割り振るように可変されることを特徴とする。
本発明は、共有領域の差分を２つの専用領域に均等に割り振るものである。即ち、共有領域の設定値に変化が生じた場合に、その変化量を２つの専用領域に均等に割り振るようにして、どちらか一方に偏る弊害を最小限にするものである。
かかる発明によれば、前回の共有領域の設定値と今回の共有領域の設定値との差分を求めておき、この差分を画像記録手段及び画像複写手段の画像メモリの専用領域に均等に割り振るように共有領域が可変されるので、どちらか一方に偏る弊害を最小限することができる。
請求項８は、前記画像記録手段及び画像複写手段の画像メモリの専用領域及び共有領域は、ユーザが操作手段から任意に変更可能としたことを特徴とする。
専用領域及び共有領域の可変量は、ユーザにより容易に設定されるように構成されていることが好ましい。その意味では、装置の操作部が最も好ましい場所である。本発明は装置の操作部にメモリ領域を任意に設定できるようにしたものである。
かかる発明によれば、専用領域及び共有領域は、ユーザが操作手段から任意に変更可能としたので、ユーザの利便性を更に高くすることができる。
【発明の効果】
【０００９】
請求項１の発明によれば、画像記録手段と画像複写手段のメモリの専用領域を可変として使用可能としたので、ユーザの利便性を高めると共に、メモリ全体の使用効率を高めることができる。
また請求項２では、画像データを記憶するための画像メモリの専用領域と前記各手段が共有して使用することが可能な共有領域とを備えたので、それぞれの機能を独立に動作させるときには多くのメモリを使用でき、且つ後から実行した機能も少ないページであれば並行動作を行うことができる。
また請求項３では、メモリの専用領域及び共有領域を可変にしたので、ユーザの利便性を高めると共に、メモリ全体の使用効率を更に高めることができる。
また請求項４では、画像記録手段及び画像複写手段の画像メモリの専用領域の合計が一定になるように可変されるので、メモリ全体のバランスを常に保つことができる。
また請求項５では、画像記録手段及び画像複写手段の画像メモリの専用領域の合計が一定になるように可変されるので、メモリ全体のバランスを常に保つことができる。
また請求項６では、前回の専用領域の設定値と今回の専用領域の設定値との差分を求めておき、この差分と共有領域を合計したメモリ容量が常に一定になるように共有領域が可変されるので、差分量に応じて変化するように制御されるので、可変量の算出が容易となる。
また請求項７では、前回の共有領域の設定値と今回の共有領域の設定値との差分を求めておき、この差分を画像記録手段及び画像複写手段の画像メモリの専用領域に均等に割り振るように共有領域が可変されるので、どちらか一方に偏る弊害を最小限することができる。
また請求項８では、専用領域及び共有領域は、ユーザが操作手段から任意に変更可能としたので、ユーザの利便性を更に高くすることができる。
【発明を実施するための最良の形態】
【００１０】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は、本発明の一実施形態に係るデジタル複写機の概略構成図である。この構成は、画像処理装置としての複写機１００であり、この複写機１００の上面にはコンタクトガラス６が設けられている。また、複写機１００の上部には自動原稿送り装置（以下、単にＡＤＦという）１が設けられており、このＡＤＦ１はコンタクトガラス６を開閉するように複写機１００に図示しないヒンジ等を介して連結されている。このＡＤＦ１は、複数の原稿からなる原稿束を載置可能な原稿載置台としての原稿トレイ２と、原稿トレイ２に載置された原稿束から原稿を１枚ずつ分離してコンタクトガラス６に向かって搬送する分離・搬送手段と、分離・搬送手段によってコンタクトガラス６に向かって搬送された原稿をコンタクトガラス６上の読取位置に搬送・停止させるとともに、コンタクトガラス６の下方に配設された複写機１００の読取手段（公知の露光ランプ５１、ミラー５２、５５、５６、レンズ５３、ＣＣＤ５４等）５０により読み取りが終了した原稿をコンタクトガラス６から搬出する。給紙モータはコントローラからの出力信号によって駆動されるようになっており、コントローラは複写機１００から給紙スタート信号が入力されると、給紙モータを正・逆転駆動するようになっている。給紙モータが正転駆動されると、給送ローラ３が時計方向に回転して原稿束から最上位に位置する原稿が給紙され、コンタクトガラス６に向かって搬送される。この原稿の先端が原稿セット検知センサ７によって検知されると、コントローラは原稿セット検知センサ７からの出力信号に基づいて給紙モータを逆転駆動させる。これにより、後続する原稿が進入するのを防止して分離されないようになっている。
【００１１】
また、コントローラは原稿セット検知センサ７が原稿の後端を検知したとき、この検知時点からの搬送ベルトモータの回転パルスを計数し、回転パルスが所定値に達したときに、給送ベルト４の駆動を停止して給送ベルト４を停止することにより、原稿をコンタクトガラス６読取位置に停止させる。また、コントローラは原稿セット検知センサ７によって原稿の後端が検知された時点で、給紙モータを再び駆動し、後続する原稿を上述したように分離してコンタクトガラス６に向かって搬送し、この原稿が原稿セット検知センサ７によって検知された時点からの給紙モータのパルスが所定パルスに到達したときに、給紙モータを停止させて次原稿を先出し待機させる。そして、原稿がコンタクトガラス６の読取位置に停止したとき、複写機１００によって原稿の読み取りおよび露光が行なわれる。この読み取りおよび露光が終了すると、コントローラには複写機１００から信号が入力されるため、コントローラはこの信号が入力すると、搬送ベルトモータを正転駆動して、搬送ベルト１６によって原稿をコンタクトガラス６から排送ローラ５に搬出する。
【００１２】
上記のように、ＡＤＦ１にある原稿トレイ２に原稿の画像面を上にして置かれた原稿束は、操作部上のプリントキーが押下されると、一番上の原稿からコンタクトガラス６上の所定の位置に給送される。給送された原稿は、読み取りユニット５０によってコンタクトガラス６上の原稿の画像データを読み取り後、給送ベルト４および反転駆動コロによって排出口Ａ（原稿反転排出時の排出口）に排出される。さらに、原稿トレイ２に次の原稿が有ることを検知した場合、前原稿と同様にコンタクトガラス６上に給送される。
また第１トレイ８、第２トレイ９、第３トレイ１０に積載された転写紙は、各々第１給紙ユニット１１、第２給紙ユニット１２、第３給紙ユニット１３によって給紙され、縦搬送ユニット１４によって感光体１５に当接する位置まで搬送される。読み取りユニット５０にて読み込まれた画像データは、書き込みユニット５７からのレーザによって感光体１５に書き込まれ、現像ユニット２７を通過することによってトナー像が形成される。そして、転写紙は感光体１５の回転と等速で搬送ベルト１６によって搬送されながら、感光体１５上のトナー像が転写される。その後、定着ユニット１７にて画像を定着させ、排紙ユニット１８に搬送される。排紙ユニット１８に搬送された転写紙は、ステープルモードを行わない場合は、排紙トレイ１９に排紙される。
【００１３】
次に図１を用いて、本発明における画像読み取り手段、および画像を記録面上に潜像形成するまでの動作を説明する。潜像とは感光体面上に画像を光情報に変換して照射することにより生じる電位分布である。
読み取りユニット５０は、原稿を載置するコンタクトガラス６と光学走査系で構成されており、光学走査系には、露光ランプ５１、第１ミラー５２、レンズ５３、ＣＣＤイメージセンサ５４等々で構成されている。露光ランプ５１及び第１ミラー５２は図示しない第１キャリッジ上に固定され、第２ミラー５５及び第３ミラー５６は図示しない第２キャリッジ上に固定されている。原稿像を読み取るときには、光路長が変わらないように、第１キャリッジと第２キャリッジとが２対１の相対速度で機械的に走査される。この光学走査系は、図示しないスキャナ駆動モータにて駆動される。原稿画像は、ＣＣＤイメージセンサ５４によって読み取られ、電気信号に変換されて処理される。レンズ５３及びＣＣＤイメージセンサ５４を図１において左右方向に移動させることにより、画像倍率が変わる。すなわち、指定された倍率に対応してレンズ５３及びＣＣＤイメージセンサ５４の左右方向に位置が設定される。
また書き込みユニット５７はレーザ出力ユニット５８、結像レンズ５９、ミラー６０で構成され、レーザ出力ユニット５８の内部には、レーザ光源であるレーザダイオード及びモータによって高速で定速回転する回転多面鏡（ポリゴンミラー）が備わっている。レーザ出力ユニット５８より照射されるレーザ光は、定速回転するポリゴンミラーで偏光され、結像レンズ５９を通り、ミラー６０で折り返され、感光体１５面上に集光結像する。
偏光されたレーザ光は感光体が回転する方向と直行する方向（主走査方向）に露光走査され、後述する画像処理部のセレクタ６４より出力された画像信号のライン単位の記録を行う。感光体の回転速度と記録密度に対応した所定の周期で主走査を繰り返すことによって、感光体面上に画像（静電潜像）が形成される。
上述のように、書き込みユニット５７から出力されるレーザ光が、画像作像系の感光体１５に照射される。図示しないが感光体１５の一端近傍のレーザビームを照射される位置に、主走査同期信号を発生するビームセンサが配置されている。この主走査同期信号をもとに主走査方向の画像記録開始タイミングの制御、および後述する画像信号の入出力を行うための制御信号の生成を行う。
【００１４】
図２は操作部３０を示した図である。操作部３０には、液晶タッチパネル３１、テンキー３２、クリア／ストップキー（ＣＬ  ＳＴＯＰ）３３、プリントキー（ＰＲＩＮＴ）３４、モードクリアキー３５、コピー、プリンタ、ファックス、スキャナキー３７、初期設定キー３８があり、液晶タッチパネル３１には、後述するモード設定のためのキーや画像形成装置の状態を示すメッセージなどが表示される。
図３は操作部３０の液晶タッチパネル３１の表示一例を示した図である。左上は、「コピーできます」、「お待ちください」等のメッセージを表示するメッセージエリア、その右は、セットした枚数を表示するコピー枚数表示部、その下の画像濃度を自動的に調整する自動濃度キー、転写紙を自動的に選択する自動用紙選択キー、コピーを一部ずつページ順にそろえる処理を指定するソートキー、コピーをページ毎に仕分けする処理を指定するスタックキー、倍率を等倍にセットする等倍キー、拡大／縮小倍率をセットする変倍キー、両面モードを設定する両面キー、とじ代モード等を設定する消去／移動キーである。選択されているモードはキーが網掛け表示されている。
図４は、画像記録機能（プリンタ機能）の例を表す図である。図４において左上は、「印刷できます」、「お待ちください」等のメッセージを表示するメッセージエリア、その下は、外部装置との接続をするオンラインキー、外部装置との接続を切るオフラインキー、画像記録を中断するためのジョブリセットキーなどがある。
図５は本発明の画像処理部（画像読み取り部と画像書き込み部）の構成図である。露光ランプ５１から照射された光は原稿面を照射し、原稿面からの反射光を、ＣＣＤイメージセンサ５４にて結像レンズ（図示せず）により結像、受光して光電変換し、Ａ／Ｄコンバータ６１にてデジタル信号に変換する。デジタル信号に変換された画像信号は、シェーディング補正６２がなされた後、画像処理部６３にてＭＴＦ補正、γ補正等がなされる。セレクタ６４では、画像信号の送り先を、変倍部７１または、画像メモリコントローラ６５への切り替えが行われる。変倍部７１を経由した画像信号は変倍率に合せて拡大縮小され、書き込みユニット５７に送られる。画像メモリコントローラ６５とセレクタ６４間は、双方向に画像信号を入出力可能な構成となっている。画像メモリコントローラ６５には、読み取り部５０から入力される画像データ以外にもネットワークコントローラ８０等により外部から供給される画像データ（例えばパーソナルコンピュータ等のデータ処理装置から出力されるデータ）も処理できるよう、複数のデータの入出力の選択を行う機能を有している。
画像メモリコントローラ６５等への設定や、読み取り部５０書き込み部５７の制御を行うＣＰＵ６８、及びそのプログラムやデータを格納するＲＯＭ６９、ＲＡＭ７０を備えている。更にＣＰＵ６８は、画像メモリコントローラ６５を介して、画像メモリ６６のデータの書き込み、読み出しが行える。
【００１５】
図６は本発明の各容量を変更するための操作部分を表す図である。図２の初期設定３８を押下することで液晶タッチパネル３１に図のような設定画面が表示される。ユーザはこの液晶タッチパネル３１とテンキー３２で各容量のパーセンテージを変更することができる。
図７は、従来機が機能毎に画像メモリ領域を確保していることを表すメモリマップ図である。
図８は本発明の画像記録装置の蓄積領域を減少して画像複写装置の蓄積領域を拡大したメモリマップ図である。本発明が搭載されるデジタル複合機はメモリ容量を抑えた低コストタイプを想定しているため複数ユーザの共有使用ではなく個人ユーザが対象になる。その場合、使用する機能はその個人ユーザの使い方次第となり使用頻度の多い機能のメモリ容量をアップすることで使い勝手が向上する。
図９は本発明の画像記録装置専用の蓄積領域Ｂと画像複写装置専用の蓄積領域Ｅと共有領域ＣＯＭからなるメモリマップ図である。これによって、それぞれの機能を独立に動作させる時には多くのメモリを使用でき、かつ後から実行した機能も小ページであれば並行動作を可能にする。さらに、それぞれの容量を可変にすることでよりユーザの使い勝手を良くすることができる。
【００１６】
図１０は本発明の第１の実施形態の動作を説明するフローチャートである。
図６のようなメモリ容量調整画面から値を変更するとメモリ量調整制御に入る。まず、画像複写機能のメモリ量の設定に変更があったか否かを判断し（Ｓ１）、変更がない場合（Ｓ１でＮＯのルート）、画像記録装置のメモリ量の設定に変更があったか否かを判断する（Ｓ５）。変更がない場合（Ｓ５でＮＯのルート）ステップＳ１に戻る。ステップＳ１で画像複写機能のメモリ量の設定に変更があった場合（Ｓ１でＹＥＳのルート）、その入力値（ｍ１）が８０％を超えているか否かを判断する（Ｓ２）。ここでは８０％から２０％の間でのみ変更が可能な場合を例に上げており、この数値は特に規定するものではない。ステップＳ２で入力値が８０％を超えている場合（Ｓ２でＹＥＳのルート）、設定値Ｍ１を８０％にして（Ｓ３）、１００％から設定値Ｍ１を引いた値を設定値Ｍ２とする（Ｓ４）即ち画像複写装置の設定値が決まると残りが画像記録装置分となる。ステップＳ２で入力値が８０％を下回っている場合（Ｓ２でＮＯのルート）、入力値（ｍ１）が２０％以下であるか否かを判断する（Ｓ６）。入力値が２０％以下の場合（Ｓ６でＹＥＳのルート）、設定値Ｍ１を２０％としてステップＳ４に進む。その他の場合は（Ｓ６でＮＯのルート）、入力された値（ｍ１）を設定値Ｍ１としてステップＳ４に進む（Ｓ８）。
ステップＳ５で画像記録装置のメモリ量の設定に変更があった場合は（Ｓ５でＹＥＳのルート）、その入力値（ｍ２）が８０％を超えているか否かを判断する（Ｓ９）。ここでは８０％から２０％の間でのみ変更が可能な場合を例に上げており、この数値は特に規定するものではない。ステップＳ９で入力値が８０％を超えている場合（Ｓ９でＹＥＳのルート）、設定値Ｍ２を８０％にして（Ｓ１０）、１００％から設定値Ｍ２を引いた値を設定値Ｍ１とする（Ｓ１１）。即ち画像記録装置の設定値が決まると残りが画像複写装置分となる。ステップＳ９で入力値が８０％を下回っている場合（Ｓ９でＮＯのルート）、入力値（ｍ２）が２０％以下であるか否かを判断する（Ｓ１２）。入力値が２０％以下の場合（Ｓ１２でＹＥＳのルート）、設定値Ｍ２を２０％としてステップＳ１１に進む。その他の場合は（Ｓ１２でＮＯのルート）、入力された値（ｍ２）を設定値Ｍ２としてステップＳ１１に進む（Ｓ１４）。
【００１７】
図１１は本発明の第１の実施形態の動作を説明するフローチャートである。
図６のようなメモリ容量調整画面から値を変更するとメモリ量調整制御に入る。まず、画像複写機能のメモリ量の設定に変更があったか否かを判断し（Ｓ２１）、変更がない場合（Ｓ２１でＮＯのルート）、画像記録装置のメモリ量の設定に変更があったか否かを判断する（Ｓ２５）。変更がない場合（Ｓ２５でＮＯのルート）、共有領域のメモリ量の設定に変更があったか否かを判断し（Ｓ３５）、変更がない場合（Ｓ３５でＮＯのルート）、ステップＳ２１に戻る。ステップＳ２１で画像複写機能のメモリ量の設定に変更があった場合（Ｓ２１でＹＥＳのルート）、その入力値（ｍ１）が５０％を超えているか否かを判断する（Ｓ２２）。ここでは５０％から２０％の間でのみ変更が可能な場合を例に上げており、この数値は特に規定するものではない。ステップＳ２２で入力値が５０％を超えている場合（Ｓ２２でＹＥＳのルート）、設定値Ｍ１を５０％にして前回との差分Ｍｓを記憶しておく（Ｓ２３）、そして共有領域の設定値Ｍｃｏｍから差分Ｍｓを引いた値を設定値Ｍｃｏｍとする（Ｓ２４）。
ステップＳ２２で入力値が５０％を下回っている場合（Ｓ２２でＮＯのルート）、入力値（ｍ１）が２０％以下であるか否かを判断する（Ｓ２６）。入力値が２０％以下の場合（Ｓ２６でＹＥＳのルート）、設定値Ｍ１を２０％にして前回との差分Ｍｓを記憶し（Ｓ２７）ステップＳ２４に進む。その他の場合は（Ｓ２６でＮＯのルート）、入力された値（ｍ１）を設定値Ｍ１にして前回との差分Ｍｓを記憶してステップＳ２４に進む（Ｓ２８）。
【００１８】
ステップＳ２５で画像記録装置のメモリ量の設定に変更があった場合は（Ｓ２５でＹＥＳのルート）、その入力値（ｍ２）が５０％を超えているか否かを判断する（Ｓ２９）。ここでは５０％から２０％の間でのみ変更が可能な場合を例に上げており、この数値は特に規定するものではない。ステップＳ２９で入力値が５０％を超えている場合（Ｓ２９でＹＥＳのルート）、設定値Ｍ２を５０％にして前回との差分Ｍｓを記憶しておく（Ｓ３０）、そして共有領域の設定値Ｍｃｏｍから差分Ｍｓを引いた値を設定値Ｍｃｏｍとする（Ｓ３１）。ステップＳ２９で入力値が５０％を下回っている場合（Ｓ２９でＮＯのルート）、入力値（ｍ２）が２０％以下であるか否かを判断する（Ｓ３２）。入力値が２０％以下の場合（Ｓ３２でＹＥＳのルート）、設定値Ｍ２を２０％にして前回との差分Ｍｓを記憶して（Ｓ３３）ステップＳ３１に進む。その他の場合は（Ｓ３２でＮＯのルート）、入力された値（ｍ２）を設定値Ｍ２にして前回との差分Ｍｓを記憶してステップＳ３１に進む（Ｓ３４）。
ステップＳ３５で共有領域のメモリ量の設定に変更があった場合は（Ｓ３５でＹＥＳのルート）、その入力値（ｍ３）が６０％を超えているか否かを判断する（Ｓ３６）。ここでは６０％以下でのみ変更が可能な場合を例に上げており、この数値は特に規定するものではない。ステップＳ３６で入力値が６０％を超えている場合（Ｓ３６でＹＥＳのルート）、設定値Ｍ２を６０％にして前回との差分Ｍｓを記憶しておく（Ｓ３７）、そして設定値Ｍ１と設定値Ｍ２に均等に差分Ｍｓを分配してそれぞれを設定値Ｍ１、設定値Ｍ２とする（Ｓ３８）。ステップＳ３６で入力値が６０％以下の場合（Ｓ３６でＮＯのルート）、入力された値（ｍ３）を設定値Ｍｃｏｍにして前回との差分Ｍｓを記憶してステップＳ３８に進む（Ｓ３９）。
【図面の簡単な説明】
【００１９】
【図１】本発明の一実施形態に係るデジタル複写機の概略構成図。
【図２】本発明の操作部３０を示した図。
【図３】本発明の操作部３０の液晶タッチパネル３１の表示一例を示した図。
【図４】本発明の画像記録機能（プリンタ機能）の例を表す図。
【図５】本発明の画像処理部（画像読み取り部と画像書き込み部）の構成図。
【図６】本発明の各容量を変更するための操作部分を表す図。
【図７】従来機が機能毎に画像メモリ領域を確保していることを表すメモリマップ図。
【図８】本発明の画像記録装置の蓄積領域を減少して画像複写装置の蓄積領域を拡大したメモリマップ図。
【図９】本発明の画像記録装置専用の蓄積領域Ｂと画像複写装置専用の蓄積領域Ｅと共有領域ＣＯＭからなるメモリマップ図。
【図１０】本発明の第１の実施形態の動作を説明するフローチャート。
【図１１】本発明の第１の実施形態の動作を説明するフローチャート。
【図１２】従来の画像記録機能（プリンタ機能）の画像メモリの使い方を示す図。
【図１３】従来の画像複写機能（コピー機能）の画像メモリの使い方を示す図。
【符号の説明】
【００２０】
５１  露光ランプ、５４  ＣＣＤイメージセンサ、６１  Ａ／Ｄコンバータ、６１  シェーディング補正、６３  画像処理部、６４  セレクタ、７１  変倍部、６５  画像メモリコントローラ、５７  書き込みユニット、５０  読み取り部、８０  ネットワークコントローラ、６８  ＣＰＵ、６９  ＲＯＭ、７０、６６  画像メモリ
【図１】
2005079679.tif 000003
【図２】
2005079679.tif 000004
【図３】
2005079679.tif 000005
【図４】
2005079679.tif 000006
【図５】
2005079679.tif 000007
【図６】
2005079679.tif 000008
【図７】
2005079679.tif 000009
【図８】
2005079679.tif 000010
【図９】
2005079679.tif 000011
【図１０】
2005079679.tif 000012
【図１１】
2005079679.tif 000013
【図１２】
2005079679.tif 000014
【図１３】
2005079679.tif 000015